(57)【要約】【課題】遊技媒体受皿から遊技媒体貯留容器への遊技媒体の移し替え作業における不安定な状態を解消して、遊技者にかかる負担を軽減することが可能な遊技機を提供する。【解決手段】遊技機１０に、遊技の結果に応じて遊技媒体が払い出される払出口３８と、払出口３８から払い出された遊技媒体を受けて、この遊技媒体の貯留を行うコイン受皿４０と、コイン受皿４０を保持する受皿保持部６０と、を備え、受皿保持部６０は、コイン受皿４０を、前方方向に傾倒可能に枢支してなる。【選択図】    図２
2004159783.tif 000002
【特許請求の範囲】
【請求項１】
遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、を備え、
前記受皿保持部は、前記遊技媒体受皿を、前方方向に傾倒可能に枢支してなることを特徴とする遊技機。
【請求項２】
遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、を備え、
前記遊技媒体受皿は、その側面に、係合部又は被係合部を備え、
前記受皿保持部は、前記遊技媒体受皿が有する前記係合部又は前記被係合部の対向する位置に、前記遊技媒体受皿に備えられた係合部又は被係合部と係合する被係合部又は係合部を備え、
前記遊技媒体受皿は、前記係合部と前記被係合部とが係合する位置を回動支点軸として、前方方向に傾倒可能にしてなることを特徴とする遊技機。
【請求項３】
前記受皿保持部の係合部又は被係合部は、前後方向に延在する凹形状とする一方、前記遊技媒体受皿の係合部又は被係合部は凸形状とし、
前記遊技媒体受皿は、前記遊技媒体受皿の係合部又は被係合部が前記受皿保持部の被係合部又は係合部と係合された状態で、前方方向に引き出し自在にしてなることを特徴とする請求項１又は２に記載の遊技機。
【請求項４】
前記受皿保持部の後面に突起状の係止部を設け、
前記遊技媒体受皿の後面が、前記係止部に接触係止されることを特徴とする請求項２又は３に記載の遊技機。
【発明の詳細な説明】
【０００１】
【発明の属する技術分野】
本発明は、遊技機に関するものである。
【０００２】
【従来の技術】
パチンコ、パチスロ、スロットマシンと呼ばれる遊技機には、遊技球、コイン、メダル、トークンといった遊技媒体が多量に用いられている。これらの遊技媒体は、遊技者が遊技機に投入することにより遊技が開始され、例えば、パチスロ、スロットマシンであれば、変動表示する複数の図柄が所定の組合せとして停止表示するように停止操作を行うことにより遊技が行われる。
【０００３】
そして、停止表示した図柄の組合せが所定の組合せとなり、入賞成立となった場合には、その組合せに応じた数量の遊技媒体が遊技者に対して払い出されることになる。
【０００４】
通常、払い出される遊技媒体は、遊技機の前面下部に設けられた払出口から払い出され、払出口下部に設けられた遊技媒体受皿に貯留される。
【０００５】
払い出される遊技媒体が受皿に貯留しきれなくなった場合には、各遊技場に用意されている、いわゆる「ドル箱」と呼ばれる、遊技媒体貯留用、運搬用の容器に移し替えられる。
【０００６】
上述した遊技機では、一般に遊技媒体受皿は遊技機に固設されているため、上述した受皿から「ドル箱」への移し替え作業は、特に、パチスロ、スロットマシンの場合には、遊技者の手によって、受皿に貯留されているコインを掴み上げ、掴んだコインを「ドル箱」に移し入れることにより行われている。
【０００７】
この移し替え作業は、受皿からコインを掻き出すように行う方が効率が良いため、コインがこぼれ落ちないように、「ドル箱」を受皿に近づけて行うことが好ましく、また、多くの遊技者が、「ドル箱」を受皿に近づけることにより移し替え作業を行っている。
【０００８】
しかし、「ドル箱」を受皿に近づけて移し替え作業を行う場合には、片手で「ドル箱」を支えて、もう一方の手でコインを掻き出す動作を行わなければならない。このため、移し替えるコインが大量にある場合には、コインの重量により、「ドル箱」を支える片手に大きな負担がかかってしまうものである。
【０００９】
そこで、上述したような移し替え作業を行う遊技者の負担を軽減させようとする遊技機が提供されている（例えば、特許文献１参照。）。この遊技機は、受皿の前面に、受皿の前面縁よりも前方へ突出するとともに左右水平方向に向かう突条部を設け、「ドル箱」の上方開口部前縁部をこの突条部に掛合させることにより、「ドル箱」を支える片手にかかる重量を分散させ、負担を軽減しようというものである。
【００１０】
【特許文献１】
特開２００１−２７６３１５号公報（第２−３頁、第４図）
【００１１】
【発明が解決しようとする課題】
しかしながら、上述した遊技機のように、受皿の前面に突条部を設けるように構成し、この突条部に「ドル箱」の上方開口部前縁部を掛合させることができても、片手で支えなければならないことにかわりはなく、片手がふさがったまま、残ったもう一方の手で移し替え作業を行わなければならない。
【００１２】
また、幅約１ｃｍ、厚み約３ｍｍという、わずかに前方に突出した突条部に、「ドル箱」の上方開口部前縁部という、「ドル箱」のごく一部分を、非常に小さい接触面積で掛合することとなるので、片手にかかる負担は軽減されたとしても、掛合されているという安心感から少しでも気を緩めると「ドル箱」を落下させてしまうおそれもあり、不安定な状態で移し替え作業を行わなければならないことにかわりはない。
【００１３】
更に、この移し替え作業は、多量のコインが払い出され得る大当たり遊技中に行うこととなる場合が多い。上述したような遊技機では、多くの遊技者が大当たり遊技を行うことを望んで遊技を行うものである。特に、遊技機では、上述した如く、停止操作を行わなければならないが、移し替え作業で両手がふさがっている場合には、停止操作を行うことができず、遊技を中断しなければならない場合もある。これが遊技者の待ち望んだ大当たり遊技中である場合には、遊技者の高揚した気持ちに水を差し、遊技意欲を損なわせてしまうおそれもある。
【００１４】
更にまた、多量のコインが連続して払い出されている状態にあって、移し替え作業に時間がかかってしまう場合には、コインの払い出しに移し替え作業が追いつかず、コイン詰まりを引き起こしてしまうおそれもある。この場合には、遊技が強制的に中断してしまい、遊技者の遊技意欲を更に損なわせてしまうことにもなりかねない。
【００１５】
本発明は以上の問題点に鑑みてなされたものであり、その目的は、遊技媒体受皿から遊技媒体貯留容器への遊技媒体の移し替え作業における不安定な状態を解消して、遊技者にかかる負担を軽減することが可能な遊技機を提供することにある。
【００１６】
【課題を解決するための手段】
以上のような目的を達成するために、本発明は以下のものを提供する。
【００１７】
（１）  遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、を備え、前記受皿保持部は、前記遊技媒体受皿を、前方方向に傾倒可能に枢支してなることを特徴とする遊技機。
【００１８】
上述した（１）の発明によれば、「遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、」を備える遊技機を、「前記受皿保持部は、前記遊技媒体受皿を、前方方向に傾倒可能に枢支してなる」ように構成するので、遊技媒体受皿を前方方向に傾倒させることが可能となり、この遊技媒体受皿に貯留されている遊技媒体を、遊技媒体受皿から遊技媒体受皿の下方に置かれた他の遊技媒体貯留容器に、容易に移し替えることができる。
【００１９】
従来、一般に、遊技機から払い出され、受皿に貯留されたコイン、メダル等の遊技媒体が受皿に一杯になると、所謂「ドル箱」と呼ばれる遊技媒体を貯留するための箱に移し替えられるが、受皿は遊技機に固設されていたため、この移し替え作業は、受皿から遊技媒体であるコインを掬い上げるか、摘み上げる等の動作を数回繰り返すことにより行われ、この間、遊技者は、ドル箱を膝の上に載せるか、片手で支えて作業を行わなければならなかった。このため、貯留されている遊技媒体が多量の場合には、作業が煩雑となり、多くの時間がかかってしまう場合もあり、また不安定な姿勢から遊技媒体を落としたり、散乱させてしまう場合もあった。また、通常、この移し替え作業は、入賞が成立し、多量の遊技媒体が払い出される大当たり遊技中に行う場合が多く、遊技に集中したい遊技者にとっては、負担が大きく、遊技意欲を失ってしまいかねないものである。
【００２０】
しかし、この発明によれば、受皿を「ドル箱」に向かって傾倒可能となり、受皿に貯留されたコインは、「ドル箱」が傾倒することにより落下し、受皿の下方に「ドル箱」を用意する場合には、下方に用意した「ドル箱」に貯留させることが可能となる。
【００２１】
このため、従来の煩雑な移し替え作業を行う必要がなくなり、移し替え作業にかかっていた負担を軽減し、受皿に貯留されている遊技媒体を簡便、迅速、確実に、「ドル箱」に移し替えることが期待できる。
【００２２】
（２）  遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、を備え、前記遊技媒体受皿は、その側面に、係合部又は被係合部を備え、前記受皿保持部は、前記遊技媒体受皿が有する前記係合部又は前記被係合部の対向する位置に、前記遊技媒体受皿に備えられた係合部又は被係合部と係合する被係合部又は係合部を備え、前記遊技媒体受皿は、前記係合部と前記被係合部とが係合する位置を回動支点軸として、前方方向に傾倒可能にしてなることを特徴とする遊技機。
【００２３】
上述した（２）の発明によれば、「遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、」を備える遊技機を、「前記遊技媒体受皿は、その側面に、係合部又は被係合部を備え、前記受皿保持部は、前記遊技媒体受皿が有する前記係合部又は前記被係合部の対向する位置に、前記遊技媒体受皿に備えられた係合部又は被係合部と係合する被係合部又は係合部を備え、前記遊技媒体受皿は、前記係合部と前記被係合部とが係合する位置を回動支点軸として、前方方向に傾倒可能にしてなる」ように構成するので、受皿と受皿保持部とを係合させ、係合部を回動支点軸として受皿を回動させることが可能となる。
【００２４】
また、受皿を回動させることにより、「ドル箱」に向かって傾倒させることが可能となる。
【００２５】
このため、受皿に貯留されたコインは、受皿が傾倒することにより落下し、受皿の下方に「ドル箱」を用意する場合には、下方に用意した「ドル箱」に貯留されることとなるので、従来の煩雑な移し替え作業を行う必要がなくなり、移し替え作業にかかっていた負担を軽減し、受皿に貯留されている遊技媒体を簡便、迅速、確実に、「ドル箱」に移し替えることが期待できる。
【００２６】
（３）  前記受皿保持部の係合部又は被係合部は、前後方向に延在する凹形状とする一方、前記遊技媒体受皿の係合部又は被係合部は凸形状とし、前記遊技媒体受皿は、前記遊技媒体受皿の係合部又は被係合部が前記受皿保持部の被係合部又は係合部と係合された状態で、前方方向に引き出し自在にしてなることを特徴とする（１）又は（２）に記載の遊技機。
【００２７】
上述した（３）の発明によれば、「前記受皿保持部の係合部又は被係合部は、前後方向に延在する凹形状とする一方、前記遊技媒体受皿の係合部又は被係合部は凸形状とし、前記遊技媒体受皿は、前記遊技媒体受皿の係合部又は被係合部が前記受皿保持部の被係合部又は係合部と係合された状態で、前方方向に引き出し自在にしてなる」ように構成するので、前後方向に延在する凹形状に凸形状を係合させ、凸形状が前後方向に延在する凹形状に沿って前後方向に移動することにより、遊技媒体受皿を前方に引き出し、また、後方に押し入れることが自在となる。
【００２８】
このため、遊技媒体受皿を引き出すことにより、遊技媒体受皿を「ドル箱」に向かって傾倒させることが可能となる。
【００２９】
これにより、遊技媒体が貯留され重量のある遊技媒体受皿を、持ち上げて回動させることなく、前方に引き出すことを行うのみで遊技媒体受皿が「ドル箱」に向かって傾倒するので、より一層遊技者の移し替え作業にかかる労力を軽減することが期待できる。
【００３０】
また、遊技媒体受皿を引き出し、引き出した位置で回動させることにより「ドル箱」に向かって傾倒させることが可能となる。
【００３１】
（４）  前記受皿保持部の後面に突起状の係止部を設け、前記遊技媒体受皿の後面が、前記係止部に接触係止されることを特徴とする（２）又は（３）に記載の遊技機。
【００３２】
上述した（４）の発明によると、「前記受皿保持部の後面に突起状の係止部を設け、前記遊技媒体受皿の後面が、前記係止部に接触係止される」ように構成するので、遊技媒体受皿の後面が受皿保持部に設けられた突起状の係止部に接触して係止されることが可能となる。
【００３３】
これにより、例えば、遊技者がわずかに接触したことにより、遊技媒体受皿が不必要な回動、前方方向への移動を行ってしまい、遊技者が行う遊技の妨げとなってしまうことが防止可能となる。
【００３４】
［用語の定義等］
本発明に係る「遊技媒体」とは、遊技機における遊技の開始、進行や結果を定め得るものを示す概念であり、パチンコ等の弾球遊技機におけるパチンコ球や、スロットマシンやパチスロ等の回胴式の遊技機におけるコインやメダルやトークン等を含む概念である。
【００３５】
【発明の実施の形態】
以下に、本発明の好適な実施形態について図面に基づいて説明する。
【００３６】
尚、以下において説明する実施形態においては、本発明に係る遊技機に好適な実施形態として、本発明をスロットマシンに適用した場合について説明する。
【００３７】
また、この遊技機１０で用いられる遊技媒体は、コインが適用されるものとして説明する。
【００３８】
更に、以下において説明する実施形態における遊技機１０では、スロットマシンに適用した場合について説明するが、本発明はこれに限らず、メダル遊技機その他のコインを使用して遊技を行う遊技機にも適用でき、また、コインを使用して遊技を行う遊技機以外にも、パチンコ球を使用するパチンコ遊技機にも適用できるものであり、更には、遊技媒体が払い出され、払いだされた遊技媒体を貯留するための遊技媒体受皿を有する遊技機であれば、本発明を適用できるものである。
【００３９】
［遊技機の構成］
本発明の一実施形態である遊技機１０の概観を示す斜視図を図１に示す。
【００４０】
遊技機１０は、図１に示す如く、本体筐体１２（以下、単に筐体１２という。）と、メインドア１６と、を備えている。
【００４１】
この筐体１２は、遊技者を臨む位置が開放されている凹部を有しており、遊技場の所定の場所に固設される。筐体１２の凹部には、後述する如く、遊技者を臨む位置に回動可能に配置された３個のリール２６Ｌ、２６Ｃ、２６Ｒや、遊技機１０を電気的に制御するための主制御回路や、コインの貯留、払出を制御するためのホッパー等が設けられている。
【００４２】
また、メインドア１６は、筐体１２の凹部を外側に露呈しないように覆うこととなる。また、メインドア１６は、筐体１２の凹部を開閉可能なように、正面から見て左側で筐体１２と軸着されており、その軸着された部分を中心として回動自在となっている。
【００４３】
メインドア１６は、正面から見て右側で、筐体１２に対して施錠及び解錠が行われるものである。
【００４４】
メインドア１６の略中央には、略垂直に形成された縦長矩形の３つの表示窓１４Ｌ、１４Ｃ、１４Ｒが設けられている。これらの表示窓１４Ｌ、１４Ｃ、１４Ｒには、５本の入賞ライン、即ち、水平に３本（中央Ｌ１、上下Ｌ２Ａ、Ｌ２Ｂ）、及び斜めに２本（斜め右下がりＬ３Ａ、斜め右上がりＬ３Ｂ）の入賞ラインが設けられている。これらの入賞ラインＬ１、Ｌ２Ａ、Ｌ２Ｂ、Ｌ３Ａ及びＬ３Ｂの左端部と右端部とには、投入されたコインの枚数により有効となった入賞ライン（以下、有効ラインと称する）と、コインの賭け枚数と、を表示するための賭け枚数表示部１８が、上から順に「３」、「２」、「１」、「２」、「３」の如く設けられている。
【００４５】
筐体１２の内部には、各々の外周面に複数種類の図柄が描かれた３個のリール２６Ｌ、２６Ｃ、２６Ｒが回転自在に設けられている。これらのリール２６Ｌ、２６Ｃ、２６Ｒの各々は、上述した表示窓１４Ｌ、１４Ｃ、１４Ｒを介して視認可能に設けられている。後述する如く、リール２６Ｌ、２６Ｃ、２６Ｒは、表示窓１４Ｌ、１４Ｃ、１４Ｒにおいて、リール２６Ｌ、２６Ｃ、２６Ｒの外周面に描かれた図柄が上から下に向かって移動するように回転駆動される。
【００４６】
後述する１−ＢＥＴスイッチ２０を遊技者が操作したときには、５本の入賞ラインのうちの１本、例えば入賞ラインＬ１を有効化し、２−ＢＥＴスイッチ２２を操作したときには、５本の入賞ラインのうちの３本、例えば入賞ラインＬ１、Ｌ２Ａ及びＬ２Ｂを有効化し、最大ＢＥＴスイッチ２４を操作したときには、５本の入賞ラインの全て、即ちＬ１、Ｌ２Ａ、Ｌ２Ｂ、Ｌ３Ａ及びＬ３Ｂを有効化する。有効化された入賞ラインは、賭け枚数表示部１８の背面に設けられている有効ライン表示ランプ（図示せず）を点灯することにより明示される。
【００４７】
また、上述した表示窓１４Ｌ、１４Ｃ、１４Ｒの下方には、略水平の台座部２８が設けられており、その中央には液晶ディスプレイパネルからなる表示装置３０が設けられている。この表示装置３０においては、遊技履歴が表示されたり、ボーナスゲームにおける画像演出等が行われる。
【００４８】
表示装置３０の右側には、遊技機１０にコインを投入するためのコイン投入口３１が設けられている。
【００４９】
上述した如く、表示装置３０の左側には、１回の押動操作により、既に投入されているコインのうちの１枚だけを遊技の賭けの対象とするための１−ＢＥＴスイッチ２０と、既に投入されているコインのうちの２枚だけを遊技の賭けの対象とするための２−ＢＥＴスイッチ２２と、既に投入されているコインのうち１回の遊技に可能な最大枚数のコインを遊技の賭けの対象とするための最大ＢＥＴスイッチ２４とが設けられている。これらのＢＥＴスイッチ２０、２２又は２４を押動操作することで、押動操作されたＢＥＴスイッチに応じて上述した入賞ラインが有効化されることとなる。
【００５０】
台座部２８の前面の左側には、スタートレバー３２が傾動可能に設けられている。このスタートレバー３２を遊技者が傾動操作することにより、上述した３つのリール２６Ｌ、２６Ｃ、２６Ｒの回転が一斉に開始される。３つのリール２６Ｌ、２６Ｃ、２６Ｒが回転したときには、リール２６Ｌ、２６Ｃ、２６Ｒの各々の外周面に描かれている図柄が、表示窓１４Ｌ、１４Ｃ、１４Ｒの各々において変動表示されることとなる。
【００５１】
上述した３つのリール２６Ｌ、２６Ｃ、２６Ｒの回転速度が一定の速度に達したときには後述する停止スイッチ３４Ｌ、３４Ｃ、３４Ｒの遊技者による操作が有効となる。
【００５２】
台座部２８の前面の中央には、３個の停止スイッチ３４Ｌ、３４Ｃ、３４Ｒが設けられている。停止スイッチ３４Ｌはリール２６Ｌに対応し、停止スイッチ３４Ｃはリール２６Ｃに対応し、停止スイッチ３４Ｒはリール２６Ｒに対応している。停止スイッチ３４Ｌを遊技者が押動操作したときには、リール２６Ｌが停止し、停止スイッチ３４Ｃを遊技者が押動操作したときには、リール２６Ｃが停止し、停止スイッチ３４Ｒを遊技者が押動操作したときには、リール２６Ｒが停止するようになされている。
【００５３】
リール２６Ｌ、リール２６Ｃ、リール２６Ｒが停止するときには、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御される。
【００５４】
スタートレバー３２の左側には、払出スイッチ３６が設けられている。遊技者が払出スイッチ３６を押動操作したときには、クレジットされているコインが正面下部のコイン払出口３８から払い出され、払い出されたコインはコイン受皿４０に受け止められ、貯留される。
【００５５】
≪第一の実施形態≫
［コイン受皿の構成］
本発明の第一の実施形態であるコイン受皿４０及び受皿保持部６０の拡大図を図２に示す。また、図３は、コイン受皿４０が受皿保持部６０に保持されている状態を示す側面断面図である。上述した如く、コイン受皿４０は、筐体１２内部に設けられたホッパーを介してコイン払出口３８から払い出されたコインを受け止め、受け止めたコインの貯留を行うためのものである。
【００５６】
コイン受皿４０は、図２に示す如く、全体形状が略直方体であって、その上面が開放する略箱状に形成されており、遊技機１０のメインドア１６における、コイン払出口３８の下方に形成された受皿保持部６０に枢支されるものである。以下、具体的構成について図面に基づいて説明する。
【００５７】
コイン受皿４０は、長方形状のコイン貯留部４１と、このコイン貯留部４１を形成する、四方周囲の壁部、即ち、前壁部４２、後壁部４３、右壁部４４及び左壁部４５、と、底面部４６から構成されている。
【００５８】
また、上述したコイン受皿４０の左壁部４５の外側面前部寄り位置には軸受孔４７が形成されており、同様に、上述した右壁部４４の外側面前部寄り位置には軸受孔４８が形成されている。
【００５９】
尚、上述した四方周囲の壁部における、上下前後左右の位置づけは、遊技機１０に対向する位置で遊技を行う遊技者側からの視点に基づくものである。又、以下の各図の説明における上下前後左右の位置づけも同様であるとする。
【００６０】
受皿保持部６０は、左右の壁部、即ち、左壁部６１及び右壁部６２と後壁部６３とにより前面側が開口した断面コ字形状の凹部として形成されている。また、この左壁部６１及び右壁部６２と後壁部６３とにより前面側が開口した平面コ字形の凹部の下端には、前方に突出してこの凹部に収納されるコイン受皿４０の底面部４６を受ける下壁部６４が形成されている。
【００６１】
また、上述した受皿保持部６０の左壁部６１の壁面前部寄り位置には筒状短軸６５が形成されており、同様に上述した右壁部６２の壁面前部寄り位置には筒状短軸６６が形成されている。
【００６２】
そして、上述したコイン受皿４０の左壁部４５に形成された軸受孔４７に、上述した受皿保持部６０の左壁部６１に形成された筒状短軸６５が嵌入し、また、上述したコイン受皿４０の右壁部４４に形成された軸受穴４９に、上述した受皿保持部６０の右壁部６２に形成された筒状短軸６６が嵌入することにより、受皿保持部６０はコイン受皿４０を前方方向に傾倒するように枢支するものである。
【００６３】
また、受皿保持部６０の後壁部６３には、一対の半球状の突起部６７が形成されている。また、コイン受皿４０の後壁部４３には、上述した一対の半球状の突起部６７と対向する位置に、一対の半球状の凹陥部５０が形成されている。
【００６４】
そして、図３に示す如く、上述したコイン受皿４０の後壁部４３に形成された凹陥部５０に、受皿保持部６０の後壁部６３に形成された突起部６７が、嵌入し、係合する。
【００６５】
これにより、コイン受皿４０が上述した受皿保持部６０の左壁部６１及び右壁部６２と後壁部６３とにより形成された凹部に収納された状態のときに、受皿保持部６０の突起部６７がコイン受皿４０の凹陥部５０に嵌入して、コイン受皿４０は受皿保持部６０に係合した状態で保持され、受皿保持部６０の突起部６７とコイン受皿４０の凹陥部５０とが係合する係合部がストッパーの役割を果たすこととなる。
【００６６】
［作用］
以下、上述した構成を有する遊技機１０について、その動作を中心に説明する。
【００６７】
まず、コインが払い出されるまでの制御の流れを説明する。
【００６８】
上述した遊技機１０の筐体１２に内在する主制御装置は、遊技者により、コイン投入口３１にコインが投入され、スタートレバー３２が傾動操作されたことを検知すると、３つのリール２６Ｌ、２６Ｃ、２６Ｒを回転駆動させるための駆動回路に駆動信号及び電力を供給し、３つのリール２６Ｌ、２６Ｃ、２６Ｒの回転が一斉に開始される。
【００６９】
また、３つのリール２６Ｌ、２６Ｃ、２６Ｒが回転したことにより、リール２６Ｌ、２６Ｃ、２６Ｒの各々の外周面に描かれている図柄が、表示窓１４Ｌ、１４Ｃ、１４Ｒの各々において変動表示されることとなる。
【００７０】
次いで、主制御装置は、遊技者が所定のタイミングで３個の停止スイッチ３４Ｌ、３４Ｃ、３４Ｒを押圧操作したことを検知すると、押圧操作を検知した停止スイッチ３４Ｌ、３４Ｃ、３４Ｒに応じて、上述した回転する３つのリール２６Ｌ、２６Ｃ、２６Ｒの停止制御を行う。
【００７１】
また、主制御装置は、リール２６Ｌ、リール２６Ｃ、リール２６Ｒの各々の外周面に描かれている図柄が上述した入賞ラインＬ１、Ｌ２Ａ、Ｌ２Ｂ、Ｌ３Ａ及びＬ３Ｂに位置付けられて停止表示されるように制御を行う。
【００７２】
次いで、主制御装置は、予め行った内部抽選による内部入賞役に対応する所定の図柄の組合せとして停止制御が行われたか否かを判断し、内部入賞役に対応する所定の図柄の組合せとして停止制御が行われた、即ち、入賞が成立したと判別した場合には、筐体１２に内部に設けられたホッパーを駆動させるべく、ホッパー駆動回路に駆動信号及び駆動電力を供給し、コイン払出口３８に所定量のコインを払い出すように制御を行う。
【００７３】
コイン払出口３８から払い出されたコインは、コイン受皿４０のコイン貯留部４１に受け止められ、貯留されることとなる。
【００７４】
次に、コイン移し替え作業の動作の流れについて説明する。
【００７５】
複数回の払い出しが行われ、コイン貯留部４１に貯留されるコイン数量がコイン貯留部４１の許容数量を超えることとなった場合には、コイン貯留部４１を空にして再度コイン貯留部４１に貯留を行うべく、貯留されたコインを他のコイン貯留容器等に移し替える作業を行う必要性が生じる。
【００７６】
上述した如く、コイン受皿４０のコイン貯留部４１に貯留されたコインを移し替えるためのコイン貯留容器８０は、一般的には、遊技場ごとに予め用意されているものであり、遊技者は、移し替え作業を行う際には、このコイン貯留容器８０をコイン受皿４０の下方に位置するように配置するものである。
【００７７】
コイン払出口３８から払いだされたコインを貯留する状態にあるコイン受皿４０は、上述した如く、受皿保持部６０の左壁部６１及び右壁部６２と後壁部６３とにより形成された凹部に、収納された状態に置かれている。
【００７８】
受皿保持部６０に形成された凹部に収納されているコイン受皿４０が受皿保持部６０に収納された状態においては、上述した如く（図３参照）、コイン受皿４０は、受皿保持部の後壁部６３に形成された半球形状の突起部６７と、突起部６７が嵌入するコイン受皿４０の後壁部４３に形成された半球形状の凹陥部５０とが接触係合するため、一定以下の力では上方方向に回動させることが不可能な状態となっている。
【００７９】
上述した状態において、遊技者により一定以上の強い力がコイン受皿４０に加えられると、半球形面で接触係合している、コイン受皿４０の凹陥部５０が受皿保持部６０の突起部６７から滑脱し、上述した如く、コイン受皿４０の軸受孔４７（４８）と受皿保持部６０の筒状短軸６５（６６）とが係合する係合部を回動支点軸として、上方方向へ回動させ、コイン受皿４０を前方方向に傾倒させることが可能となる。
【００８０】
図４に示す如く、上方方向へ回動されたコイン受皿４０は、回動するにつれて、コイン受皿４０の上方開口部が前方方向に傾倒することとなり、これにより、コイン受皿４０に貯留されているコインが下方に落下を開始する。
【００８１】
落下したコインは、コイン受皿４０の下方に設けられたコイン貯留容器８０に受け止められ、貯留されることになり、コイン受皿４０に貯留されているコインがコイン貯留容器にすべて落下することにより、移し替え作業が完了する。
【００８２】
このように、「遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、」を備える遊技機を、「前記遊技媒体受皿は、その側面に、係合部又は被係合部を備え、前記受皿保持部は、前記遊技媒体受皿が有する前記係合部又は前記被係合部の対向する位置に、前記遊技媒体受皿に備えられた係合部又は被係合部と係合する被係合部又は係合部を備え、前記遊技媒体受皿は、前記係合部と前記被係合部とが係合する位置を回動支点軸として、前方方向に傾倒可能にしてなる」ように構成するので、受皿と受皿保持部とを係合させ、係合部を回動支点軸として受皿を回動させることが可能となる。
【００８３】
また、受皿を回動させることにより、「ドル箱」に向かって傾倒させることが可能となる。
【００８４】
このため、受皿に貯留されたコインは、受皿が傾倒することにより落下し、受皿の下方に「ドル箱」を用意する場合には、下方に用意した「ドル箱」に貯留されることとなるので、従来の煩雑な移し替え作業を行う必要がなくなり、移し替え作業にかかっていた負担を軽減し、受皿に貯留されている遊技媒体を簡便、迅速、確実に、「ドル箱」に移し替えることが期待できる。
【００８５】
また、「前記受皿保持部の後面に突起状の係止部を設け、前記遊技媒体受皿の後面が、前記係止部に接触係止される」ように構成するので、遊技媒体受皿の後面が受皿保持部に設けられた突起状の係止部に接触して係止されることが可能となる。
【００８６】
これにより、例えば、遊技者がわずかに接触したことにより、遊技媒体受皿が不必要な回動、前方方向への移動を行ってしまい、遊技者が行う遊技の妨げとなってしまうことが防止可能となる。
【００８７】
尚、本実施形態における遊技機１０では、コイン受皿４０の左右壁部に軸受孔４７を形成し、受皿保持部６０の左右壁部には筒状短軸６５を形成することとしたが、本発明はこれに限らず、軸受孔４７、筒状短軸６５を逆の位置に設けることとしてもよい。即ち、コイン受皿４０の左右壁部に筒状短軸を形成し、受皿保持部６０の左右壁部に軸受孔を形成することとしてもよい。
【００８８】
また、図５に示す如く、コイン受皿４０に形成される軸受孔を、上述したコイン受皿４０の左壁部４５に形成した軸受孔４７から右壁部４４に形成した軸受孔４８へと至る、貫通した一本の軸受長孔５１として形成することとしてもよい。
【００８９】
この場合には、図５に示す如く、長棒状の支持軸５２を上述した軸受長孔５１に挿入することとなる。また、上述した受皿保持部６０の左壁部６１の壁面前部寄り位置には軸受孔６８を形成し、同様に上述した右壁部６２の壁面前部寄り位置には軸受孔６９を形成する。
【００９０】
そして、支持軸５２をコイン受皿４０に形成された軸受長孔５１に挿入した状態で、支持軸５２の左端部５３が受皿保持部６０の左壁部６１に形成された軸受孔６８に嵌入し、同様に、支持軸５２の右端部５４が受皿保持部６０の右壁部６２に形成された軸受孔６９に嵌入することにより、受皿保持部６０はコイン受皿４０を前方方向に傾倒するように枢支することとなる。
【００９１】
これにより、短軸で枢支する場合と比較して、より安定した状態で受皿保持部６０はコイン受皿４０を前方方向に傾倒するように枢支することができる。
【００９２】
尚、本実施形態における遊技機１０では、図２に示す如く、受皿保持部６０に突起部６７を形成し、コイン受皿４０に凹陥部５０を形成することとしたが、本発明はこれに限らず、受皿保持部６０に凹陥部５０を形成し、コイン受皿４０に突起部６７を形成することとしてもよい。
【００９３】
また、本実施形態における遊技機１０では、図２に示す如く、一対の突起部６７又はこれに対向する一対の凹陥部５０は、受皿保持部６０の後壁部６３又はコイン受皿４０の後壁部４３に形成されることとしたが、本発明はこれに限らず、一対の突起部６７又はこれに対向する一対の凹陥部５０は、受皿保持部６０の左壁部６１及び右壁部６２、又は、コイン受皿４０の左壁部４５及び右壁部４４にそれぞれ形成されることとしてもよい。
【００９４】
更に、本実施形態における遊技機１０では、突起部６７又はこれに対向する凹陥部５０は、一対、即ち、２箇所形成されることとしたが本発明はこれに限らず、ストッパーの役割を果たすものであれば一箇所であってもよく、複数箇所であってもよい。
【００９５】
更にまた、本実施形態における遊技機１０では、コイン受皿４０は、図２に示す如く、全体形状が略直方体であって、その上面が開放する略箱状に形成されていることとしたが、本発明はこれに限らず、図９に示す如く、コイン受皿４０の前壁部４２の中央部に、コイン受皿４０を前方方向に傾倒させた場合に、コインを集め、集中させて落下させるための集中口５８を設けることとしてもよい。
【００９６】
この場合には、コイン受皿４０の前壁部４２の中央部から前方に向かってその幅が徐々に狭小となるように突出する集中口５８を前壁部４２と一体として形成することとなる。
【００９７】
これにより、コイン受皿４０を前方方向に傾倒させたときに、貯留されたコインがコイン受皿４０の前壁部４２に形成された集中口５８に集められるため、貯留したコインを散乱させることなく、集中して下方に用意したコイン貯留容器８０に落下させることが可能となる。
【００９８】
≪第二の実施形態≫
［コイン受皿の構成］
本発明の第二の実施形態であるコイン受皿４０の拡大図を図６に示す。尚、図６において図２と同一の符号で示す構成部分は、同一のものとする。また、図７は、コイン受皿４０が受皿保持部６０に保持されている状態を示す側面断面図である。
【００９９】
上述した如く、コイン受皿４０は、筐体１２内部に設けられたホッパーを介してコイン払出口３８から払い出されたコインを受け止め、受け止めたコインの貯留を行うためのものである。
【０１００】
コイン受皿４０は、図６に示す如く、全体形状が略直方体であって、その上面が開放する略箱状に形成されており、遊技機１０のメインドア１６における、コイン払出口３８の下方に形成された受皿保持部６０に枢支されるものである。以下、具体的構成について図面に基づいて説明する。
【０１０１】
図６に示す如く、コイン受皿４０は、長方形状のコイン貯留部４１と、このコイン貯留部４１を形成する、四方周囲の壁部、即ち、前壁部４２、後壁部４３、右壁部４４及び左壁部４５、と、底面部４６から構成されている。
【０１０２】
また、上述したコイン受皿４０の左壁部４５の外側面下部には軸受溝５５が水平方向に形成されており、同様に、上述した右壁部４４の外側面下部には軸受溝５６が水平方向に形成されている。左壁部４５に形成された軸受溝５５と右壁部４４に形成された軸受溝５６とは対となるものであり、左右対称の位置となるように設けられているものである。
【０１０３】
受皿保持部６０は、左右の壁部、即ち、左壁部６１及び右壁部６２と後壁部６３とにより前面側が開口した断面コ字形状の凹部（以下、第一凹部という。）として形成されている。また、この第一凹部の下端には、前方に突出してこの第一凹部に収納されるコイン受皿４０の底面部４６を受ける下壁部６４が形成されている。
【０１０４】
また、上述した受皿保持部６０の左壁部６１の壁面前部寄り位置には筒状短軸６５が形成されており、同様に上述した右壁部６２の壁面前部寄り位置には筒状短軸６６が形成されている。左壁部６１に形成された筒状短軸６５と右壁部６２に形成された筒状短軸６６とは対となるものであり、左右対称の位置となるように設けられているものである。
【０１０５】
更に、図６、図７に示す如く、受皿保持部６０の後壁部６３の上方には、突出部７０が形成されている。この受皿保持部６０に形成された突出部７０、及び後壁部６３、下壁部６４は、断面コ字形状の凹部（以下、第二凹部という。）を形成することになる。
【０１０６】
コイン受皿４０は、上述したコイン受皿４０の左壁部４５に形成された軸受溝５５に、上述した受皿保持部６０の左壁部６１に形成された筒状短軸６５が嵌入し、また、上述したコイン受皿４０の右壁部４４に形成された軸受溝５６に、上述した受皿保持部６０の右壁部６２に形成された筒状短軸６６が嵌入することにより、受皿保持部６０に保持されることになる。
【０１０７】
このとき、図７に示すように、受皿保持部６０に形成された突出部７０、及び後壁部６３、下壁部６４によって形成された第二凹部は、上述したコイン受皿４０の後壁部４３を受け容れ、コイン受皿の後壁部４３の上面部と、突出部７０の内面とが接触するようになっている。
【０１０８】
これにより、受皿保持部６０は、コイン受皿４０を前後方向にスライド可能に、かつ、前方方向に傾倒可能に枢支するものである。
【０１０９】
［作用］
以下、上述した構成を有する遊技機１０について、その動作を中心に説明する。
【０１１０】
コインが払い出されるまでの制御の流れについては、上述した第一の実施形態と同様であるので省略する。
【０１１１】
コイン払出口３８から払いだされたコインを貯留する状態にあるコイン受皿４０は、上述した如く、受皿保持部６０の左壁部６１及び右壁部６２と後壁部６３とにより形成された凹部に、収納された状態に置かれている。
【０１１２】
受皿保持部６０に形成された第一凹部に収納されているコイン受皿４０が受皿保持部６０に収納された状態においては、上述した如く（図７参照）、コイン受皿４０の後壁部４３が第二凹部に受け容れられ、このコイン受皿４０の後壁部４３の上面部と第二凹部を形成する突出部７０の下面とが接触する状態となっている。即ち、この状態においては、コイン受皿４０は、突出部７０により上方に回動することが不可能な状態となっている。
【０１１３】
上述した状態において、遊技者により、前方に引き出す力がコイン受皿４０に加えられると、受皿保持部６０の筒状短軸６５（６６）がコイン受皿４０の軸受溝５５（５６）の内面に沿って移動するため、コイン受皿４０は受皿保持部６０と係合した状態で前方方向に引き出されることが可能となる。
【０１１４】
コイン受皿４０が一定以上の距離を前方に引き出されると、上述した突出部７０からコイン受皿４０の後壁部４３が離脱する。
【０１１５】
そして、コイン受皿４０が前方に引き出され、突出部７０からコイン受皿４０の後壁部４３が離脱した状態となることにより、離脱した任意の位置で、上述した如く、コイン受皿４０の軸受溝５５（５６）と受皿保持部６０の筒状短軸６５（６６）とが係合する係合部を回動支点軸として、上方方向への回動が可能となる。
【０１１６】
図８に示す如く、上方方向へ回動されたコイン受皿４０は、回動するにつれて、コイン受皿４０の上方開口部が前方方向に傾倒することとなり、これにより、コイン受皿４０に貯留されているコインが下方に落下を開始する。
【０１１７】
落下したコインは、コイン受皿４０の下方に設けられたコイン貯留容器８０に受け止められ、貯留されることになり、コイン受皿４０に貯留されているコインがコイン貯留容器にすべて落下することにより、移し替え作業が完了する。
【０１１８】
このように、「前記受皿保持部の係合部又は被係合部は、前後方向に延在する凹形状とする一方、前記遊技媒体受皿の係合部又は被係合部は凸形状とし、前記遊技媒体受皿は、前記遊技媒体受皿の係合部又は被係合部が前記受皿保持部の被係合部又は係合部と係合された状態で、前方方向に引き出し自在にしてなる」ように構成するので、前後方向に延在する凹形状に凸形状を係合させ、凸形状が前後方向に延在する凹形状に沿って前後方向に移動することにより、遊技媒体受皿を前方に引き出し、また、後方に押し入れることが自在となる。
【０１１９】
このため、遊技媒体受皿を引き出すことにより、遊技媒体受皿を「ドル箱」に向かって傾倒させることが可能となる。
【０１２０】
これにより、遊技媒体が貯留され重量のある遊技媒体受皿を、持ち上げて回動させることなく、前方に引き出すことを行うのみで遊技媒体受皿が「ドル箱」に向かって傾倒するので、より一層遊技者の移し替え作業にかかる労力を軽減することが期待できる。
【０１２１】
また、遊技媒体受皿を引き出し、引き出した位置で回動させることにより「ドル箱」に向かって傾倒させることが可能となる。
【０１２２】
更に、「前記受皿保持部の後面に突起状の係止部を設け、前記遊技媒体受皿の後面が、前記係止部に接触係止される」ように構成するので、遊技媒体受皿の後面が受皿保持部に設けられた突起状の係止部に接触して係止されることが可能となる。
【０１２３】
これにより、例えば、遊技者がわずかに接触したことにより、遊技媒体受皿が不必要な回動、前方方向への移動を行ってしまい、遊技者が行う遊技の妨げとなってしまうことが防止可能となる。
【０１２４】
尚、本実施形態における遊技機１０では、コイン受皿４０を前方へ引き出すことにより、突出部７０からコイン受皿４０の後壁部４３が離脱した任意の位置で上方方向へ回動することによりコイン受皿４０を前方方向に傾倒することとしたが、本発明はこれに限らず、突出部７０からコイン受皿４０の後壁部４３が離脱した任意の位置で上方方向へ回動させることなく、そのままコイン受皿４０を引き出し続けることにより、前方方向に傾倒することとしてもよい。
【０１２５】
この場合には、引き出す動作のみでコイン受皿４０を前方方向に回動させることが可能となり、移し替え作業をより簡便に行うことが期待できる。
【０１２６】
また、上述した如く、本実施形態における遊技機１０では、コイン受皿４０は、全体形状が略直方体であって、その上面が開放する略箱状に形成されていることとしたが（図６参照）、本発明はこれに限らず、図９に示す如く、コイン受皿４０の前壁部４２の中央部に、コイン受皿４０を前方方向に傾倒させた場合に、コインを集め、集中させて落下させるための集中口５８を設けることとしてもよい。
【０１２７】
この場合には、コイン受皿４０の前壁部４２の中央部から前方に向かってその幅が徐々に狭小となるように突出する集中口５８を前壁部４２と一体として形成することとなる。
【０１２８】
これにより、コイン受皿４０を前方方向に傾倒させたときに、貯留されたコインがコイン受皿４０の前壁部４２に形成された集中口５８に集められるため、貯留したコインを散乱させることなく、集中して下方に用意したコイン貯留容器８０に落下させることが可能となる。
【０１２９】
尚、本実施形態においては、本発明を、遊技媒体としてコインを使用するスロットマシンに適用した例について説明したが、本発明はこれに限らず、遊技媒体としてパチンコ球を使用するパチンコ遊技機について適用しても問題はない。
【０１３０】
【発明の効果】
本発明によれば、「遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、」を備える遊技機を、「前記受皿保持部は、前記遊技媒体受皿を、前方方向に傾倒可能に枢支してなる」ように構成するので、遊技媒体受皿を前方方向に傾倒させることが可能となり、この遊技媒体受皿に貯留されている遊技媒体を、遊技媒体受皿から遊技媒体受皿の下方に置かれた他の遊技媒体貯留容器に、容易に移し替えることができる。
【０１３１】
このため、従来の煩雑な移し替え作業を行う必要がなくなり、移し替え作業にかかっていた負担を軽減し、受皿に貯留されている遊技媒体を簡便、迅速、確実に、「ドル箱」に移し替えることが期待できる。
【０１３２】
また、「遊技の結果に応じて遊技媒体が払い出される払出口と、当該払出口から払い出された遊技媒体を受けて当該遊技媒体の貯留を行う遊技媒体受皿と、当該遊技媒体受皿を保持する受皿保持部と、」を備える遊技機を、「前記遊技媒体受皿は、その側面に、係合部又は被係合部を備え、前記受皿保持部は、前記遊技媒体受皿が有する前記係合部又は前記被係合部の対向する位置に、前記遊技媒体受皿に備えられた係合部又は被係合部と係合する被係合部又は係合部を備え、前記遊技媒体受皿は、前記係合部と前記被係合部とが係合する位置を回動支点軸として、前方方向に傾倒可能にしてなる」ように構成するので、受皿と受皿保持部とを係合させ、係合部を回動支点軸として受皿を回動させることが可能となる。
【０１３３】
また、受皿を回動させることにより、「ドル箱」に向かって傾倒させることが可能となる。
【０１３４】
このため、受皿に貯留されたコインは、受皿が傾倒することにより落下し、受皿の下方に「ドル箱」を用意する場合には、下方に用意した「ドル箱」に貯留されることとなるので、従来の煩雑な移し替え作業を行う必要がなくなり、移し替え作業にかかっていた負担を軽減し、受皿に貯留されている遊技媒体を簡便、迅速、確実に、「ドル箱」に移し替えることが期待できる。
【０１３５】
更に、「前記受皿保持部の係合部又は被係合部は、前後方向に延在する凹形状とする一方、前記遊技媒体受皿の係合部又は被係合部は凸形状とし、前記遊技媒体受皿は、前記遊技媒体受皿の係合部又は被係合部が前記受皿保持部の被係合部又は係合部と係合された状態で、前方方向に引き出し自在にしてなる」ように構成するので、前後方向に延在する凹形状に凸形状を係合させ、凸形状が前後方向に延在する凹形状に沿って前後方向に移動することにより、遊技媒体受皿を前方に引き出し、また、後方に押し入れることが自在となる。
【０１３６】
このため、遊技媒体受皿を引き出すことにより、遊技媒体受皿を「ドル箱」に向かって傾倒させることが可能となる。
【０１３７】
これにより、遊技媒体が貯留され重量のある遊技媒体受皿を、持ち上げて回動させることなく、前方に引き出すことを行うのみで遊技媒体受皿が「ドル箱」に向かって傾倒するので、より一層遊技者の移し替え作業にかかる労力を軽減することが期待できる。
【０１３８】
また、遊技媒体受皿を引き出し、引き出した位置で回動させることにより「ドル箱」に向かって傾倒させることが可能となる。
【０１３９】
更にまた、「前記受皿保持部の後面に突起状の係止部を設け、前記遊技媒体受皿の後面が、前記係止部に接触係止される」ように構成するので、遊技媒体受皿の後面が受皿保持部に設けられた突起状の係止部に接触して係止されることが可能となる。
【０１４０】
これにより、例えば、遊技者がわずかに接触したことにより、遊技媒体受皿が不必要な回動、前方方向への移動を行ってしまい、遊技者が行う遊技の妨げとなってしまうことが防止可能となる。
【図面の簡単な説明】
【図１】本発明の一実施形態である遊技機１０の概観を示す斜視図である。
【図２】本発明の一実施形態であるコイン受皿４０及び受皿保持部６０の構成の概略を示す拡大図である。
【図３】本発明の一実施形態であるコイン受皿４０が受皿保持部６０に保持されている状態を示す側面断面図である。
【図４】本発明の一実施形態であるコイン受皿４０が受皿保持部６０に保持され前方方向に傾倒している状態を示す概略図である。
【図５】本発明の一実施形態であるコイン受皿４０及び受皿保持部６０の構成の概略を示す拡大図である。
【図６】本発明の一実施形態であるコイン受皿４０及び受皿保持部６０の構成の概略を示す拡大図である。
【図７】本発明の一実施形態であるコイン受皿４０が受皿保持部６０に保持されている状態を示す側面断面図である。
【図８】本発明の一実施形態であるコイン受皿４０が受皿保持部６０に保持され前方方向に傾倒している状態を示す概略図である。
【図９】本発明の一実施形態であるコイン受皿４０及び受皿保持部６０の構成の概略を示す拡大図である。
【符号の説明】
１０  遊技機
１２  筐体
１６  メインドア
３１  コイン投入口
３８  コイン払出口
４０  コイン受皿
４１  コイン貯留部
４７、４８、６８，６９  軸受孔
４９  軸受穴
５０  凹陥部
５１  軸受長孔
５２  支持軸
５５、５６  軸受溝
６０  受皿保持部
６５、６６  筒状短軸
８０  コイン貯留容器
【図１】
2004159783.tif 000003
【図２】
2004159783.tif 000004
【図３】
2004159783.tif 000005
【図４】
2004159783.tif 000006
【図５】
2004159783.tif 000007
【図６】
2004159783.tif 000008
【図７】
2004159783.tif 000009
【図８】
2004159783.tif 000010
【図９】
2004159783.tif 000011